(57)【要約】【課題】大電流が流れる大径の電線に容易に装着できるばかりでなく、インピーダンスを高めつつ磁気飽和の問題を解消できる雑音電流吸収具を提供する。【解決手段】環状に成型された少なくとも２つの磁性体１０，１０をそれぞれ電線１に外嵌する構造であるから、外径が大きくて曲げ剛性が高い電線１にも容易に装着できる。また、複数の磁性体１０を組み合わせることにより、インピーダンスを高めることができる。さらに、個々の磁性体１０が別個の部材として形成されていることにより、大電流に起因する磁気飽和の問題を解消することができる。加えて、磁性体同士が軸線方向に同軸に整列する構造であるから、隣接する磁性体の端面同士が半径方向に位置ずれして接合面積が小さくなることがなく、閉磁路の形成が妨げられて雑音電流を吸収する能力が低下することがない。【選択図】図１
2013232517.tif 000002
【特許請求の範囲】
【請求項１】
電線に外嵌可能な環状に成型された少なくとも２つの磁性体を備え、
前記磁性体は、前記電線に外嵌されたときに、隣接する磁性体と軸線方向に整列するように互いに係合する係合部をその軸線方向の端部に有していることを特徴とする雑音電流吸収具。
【請求項２】
前記係合部は、前記磁性体の軸線方向の一端に形成された凹部と、この凹部と係合可能に前記磁性体の軸線方向の他端に形成された凸部とから構成されることを特徴とする請求項１に記載の雑音電流吸収具。
【請求項３】
前記磁性体は、前記電線をその半径方向に挟装可能な形状に分割されていることを特徴とする請求項１または２に記載の雑音電流吸収具。
【発明の詳細な説明】
【技術分野】
【０００１】
本発明は、電線に流れる雑音電流を吸収すべく電線に装着される雑音電流吸収具に関し、より詳しくは、大電流が流れる大径の電線に容易に装着できるとともに、インピーダンスを高めつつ磁気飽和の問題を解消するように改良された雑音電流吸収具に関する。
【背景技術】
【０００２】
従来、環状に成型された磁性体に電線を巻き付ける構造の雑音電流吸収具が用いられている（例えば、下記特許文献１〜３を参照）。
【０００３】
この雑音電流吸収具においては、環状の磁性体によって形成される閉磁路内に雑音電流に起因する磁束ループが生じるため、雑音電流の電磁エネルギーが熱エネルギーに変換され、雑音電流を吸収する効果が生じる。
そのため、磁性体に電線を複数回巻き付けると、磁性体によって形成される閉磁路の内部を電線が複数回通過することになり、より効果的に雑音電流を吸収することができる。
【先行技術文献】
【特許文献】
【０００４】
【特許文献１】特開２００４−４７８７７号公報
【特許文献２】特開平１１−３５４３２９号公報
【特許文献３】特許第２９７７８０１号明細書
【発明の概要】
【発明が解決しようとする課題】
【０００５】
ところで、ＨＶ車やＥＶ車に代表されるカーエレクトロニクスの分野においては、１０Ａを超える大電流が流れる電線でのノイズ対策の必要性が増している。
このとき、大電流が流れる電線は、その外径が大きくて曲げ剛性が高いため、環状の磁性体に容易に巻き付けることができない。
そこで、大電流が流れる電線に、軸線方向に長い円筒状の磁性体を嵌装することにより、インピーダンスを高めて雑音電流を吸収する手法が採用されている。
【０００６】
しかしながら、軸線方向に長い円筒状の磁性体は、外径が大きくて曲げ剛性が高い電線に装着する作業が煩雑となる。
また、円筒状の磁性体を軸線方向に長くすればするほどインピーダンスを高めることができるが、単一の部材であるため、大電流に起因する磁気飽和の問題を解決することができない。
【０００７】
そこで本発明の目的は、大電流が流れる大径の電線に容易に装着できるばかりでなく、インピーダンスを高めつつ磁気飽和の問題を解消できる新しい雑音電流吸収具を提供することにある。
【課題を解決するための手段】
【０００８】
上記の課題を解決する本発明の雑音電流吸収具は、
電線に外嵌可能な環状に成型された少なくとも２つの磁性体を備え、
前記磁性体は、前記電線に外嵌されたときに隣接する磁性体と軸線方向に同軸に整列するように互いに係合する係合部をその軸線方向の端部に有していることを特徴とする。
【０００９】
すなわち、本発明の雑音電流吸収具は、環状に成型された少なくとも２つの磁性体をそれぞれ電線に外嵌する構造であるから、外径が大きくて曲げ剛性が高い電線にも容易に装着することができる。
また、複数の磁性体を組み合わせることによりインピーダンスを高めることができる。
また、個々の磁性体が別個の部材として形成されるので、大電流に起因する磁気飽和の問題を解消することができる。
また、電線に外嵌された少なくとも２つの磁性体は、その係合部同士が互いに係合することによって軸線方向に同軸に整列する構造であるから、隣接する磁性体の端面同士が半径方向に位置ずれして接合面積が小さくなることがなく、閉磁路の形成が妨げられて雑音電流を吸収する能力が低下することを防止できる。
さらに、個々の磁性体の雑音電流吸収特性を変更することにより、広い帯域にわたって雑音電流を吸収可能な雑音電流吸収具を構成することができる。
【００１０】
なお、前記係合部は、磁性体の軸線方向の一端に形成された凹部と、この凹部と係合可能に前記磁性体の軸線方向の他端に形成された凸部とから構成することができる。
凸部は、円周方向に等間隔に並べた複数の突起から構成し、あるいは円環状に形成することができる。
【００１１】
また、前記磁性体は、電線をその半径方向に挟装可能な形状に分割することができる。
例えば、個々の磁性体を半円状に２つ割りし、それらを組み合わせて円環状にするとともに、樹脂製の保持具に収納する構造とすることもできる。
【発明の効果】
【００１２】
本発明によれば、大電流が流れる大径の電線に容易に装着できるばかりでなく、インピーダンスを高めつつ、磁気飽和の問題を解消できる雑音電流吸収具を提供することができる。
【図面の簡単な説明】
【００１３】
【図１】本発明の雑音電流吸収具を電線に装着した状態を示す斜視図。
【図２】図１に示した雑音電流吸収具を示す斜視図（ａ）および分解斜視図（ｂ）。
【図３】変形例の雑音電流吸収具を示す斜視図（ａ）および分解斜視図（ｂ）。
【発明を実施するための形態】
【００１４】
以下、図１〜図３を参照し、本発明の雑音電流吸収具の一実施形態および変形例について詳細に説明する。
【００１５】
(実施形態)
まず最初に図１を参照すると、２つの雑音電流吸収具１０，１０が、電線１の軸線方向に互いに整列するように、かつ互いに密着するように電線１に外嵌されている。
【００１６】
これらの雑音電流吸収具１０，１０は、図２に示したように、電線１に外嵌可能な環状に成型された磁性体を半円状に２つ割りにした分割体１１，１２を、それぞれ組み合わせた構造となっている。
また、各分割体１１，１２は、その軸線方向の一端に形成された凹部１１ａ，１１ｂ，１２ａ，１２ｂと、これらの凹部と係合可能にその軸線方向の他端に形成された凸部１１ｃ，１１ｄ，１２ｃ，１２ｄとをそれぞれ有している。
そして、これらの凹部および凸部は、分割体１１，１２を組み合わせときに、円周方向に等間隔に並ぶように構成されている。
【００１７】
これにより、電線１をその半径方向に挟むようにして、各分割体１１，１２を電線１に装着し、個々の雑音電流吸収具１０に組み立てることができる。
その後、２つの雑音電流吸収具１０，１０を軸線方向に接近させると、各凹部１１ａ，１１ｂ，１２ａ，１２ｂと各凸部１１ｃ，１１ｄ，１２ｃ，１２ｄが互いに係合し、２つの雑音電流吸収具１０，１０は軸線方向に同軸に整列した状態に組み立てられる。
したがって、２つの雑音電流吸収具１０，１０の端面同士は、互いに位置ずれすることなく接合するから、接合面積が小さくなって閉磁路の形成が妨げられ雑音電流を吸収する能力が低下することを防止できる。
【００１８】
また、本実施形態の雑音電流吸収具１０，１０は、環状に成型された少なくとも２つの磁性体をそれぞれ電線に外嵌させる構造であるから、外径が大きくて剛性が高い電線１にも容易に装着することができる。
また、複数の磁性体１０，１０を組み合わせることによって、インピーダンスを所望の値に高めることができる。
また、個々の磁性体１０，１０が別個の部材として形成されているので、軸線方向に長い１つの筒状部材として形成した場合とは異なり、大電流による磁気飽和の問題を解消することができる。
さらに、個々の磁性体１０，１０の雑音電流吸収特性を変更することにより、広い帯域にわたって雑音電流を吸収可能な雑音電流吸収具を構成することができる。
【００１９】
(変更例)
次に図３を参照し、変形例の雑音電流吸収具について説明する。
図３に示した変形例の磁性体２０，２０は、電線１に外嵌可能な環状に成型された磁性体を半円状に２つ割りにした分割体２１，２２を組み合わせた構造となっている。
これにより、電線１をその半径方向に挟むようにして、各分割体２１，２２を電線１に装着し、１つの雑音電流吸収具２０に組み立てることができる。
【００２０】
また、各分割体２１，２２は、その軸線方向の一端に形成された半円環状の凸部２１ａ，２２ａと、これらの凸部２１ａ，２２ａと係合可能にその軸線方向の他端に形成された半円環状の凹部２１ｂ，２２ｂとをそれぞれ有している。
これにより、２つの雑音電流吸収具２０，２０を軸線方向に接近させると、円環状をなす各凸部２１ａ，２２ａと円環をなす各凹部２１ｂ，２２ｂが互いに係合するため、２つの雑音電流吸収具２０，２０は軸線方向に同軸に整列する。
これにより、隣接する磁性体２０，２０の端面同士が半径方向に位置ずれすることなく接合するから、接合面積が小さくなって閉磁路の形成が妨げられ雑音電流を吸収する能力が低下することがない。
【００２１】
以上、本発明の雑音電流吸収具の一実施形態および変形例について詳しく説明したが、本発明は上述した実施形態によって限定されるものではなく、種々の変更が可能であることは言うまでもない。
例えば、上述した雑音電流吸収具は、２つの分割体に分割することなく円環状に成型した磁性体から構成し、その挿通孔の内部に電線を挿通する構造とすることもできる。
また、上述した雑音電流吸収具は、従来技術と同様に、２つの分割体を樹脂製の保持具の内部に収納して保持する構造とすることもできる。
【符号の説明】
【００２２】
１  電線
１０  一実施形態の雑音電流吸収具
１１，１２  分割体
２０  変形例の雑音電流吸収具
２１，２２  分割体
【図１】
2013232517.tif 000003
【図２】
2013232517.tif 000004
【図３】
2013232517.tif 000005